(57)【要約】【課題】エネルギーを使用する使用主体において、エネルギーの種類を１つに限定せずに、他の使用主体と比べてどれくらい省エネルギーを実践できているのか把握できるようにする。【解決手段】ランキング表示システム１００において、抽出部２１０は、データベース２５０から、世帯ごとのエネルギーの使用量を示す数値データ２５１を抽出する。計算部２２０は、抽出部２１０により抽出された世帯ごとの数値データ２５１を共通の単位の数値データ２５３に換算し、換算後の数値データ２５３を集計して世帯ごとの省エネルギー指標２５４を求める。特定部２３０は、計算部２２０により求められた世帯ごとの省エネルギー指標２５４から、いずれかの世帯の省エネルギー指標２５４の順位を特定する。表示部３２０は、特定部２３０により特定された順位を示す情報をディスプレイ３０４に表示する。【選択図】図１
2017182553.tif 000002
【特許請求の範囲】
【請求項１】
エネルギーを使用する複数の使用主体のそれぞれにおけるエネルギーの使用量をエネルギーの種類に応じて異なる単位の数値データとして格納するデータベースから、使用主体ごとの数値データを抽出する抽出部と、
前記抽出部により抽出された使用主体ごとの数値データを共通の単位の数値データに換算し、換算後の数値データを集計して使用主体ごとの省エネルギー指標を求める計算部と、
前記計算部により求められた使用主体ごとの省エネルギー指標から、前記複数の使用主体のうちいずれかの省エネルギー指標の順位を特定する特定部と、
前記特定部により特定された順位を示す情報をディスプレイに表示する表示部と
を備えるランキング表示システム。
【請求項２】
前記抽出部は、電力およびガスを併用する使用主体の数値データとして、電力およびガスのそれぞれの数値データを抽出する請求項１に記載のランキング表示システム。
【請求項３】
前記計算部は、前記抽出部により抽出された使用主体ごとの数値データを、前記共通の単位の数値データとして、熱量の数値データに換算する請求項２に記載のランキング表示システム。
【請求項４】
前記抽出部は、電力および水道を使用する使用主体の数値データとして、電力および水道のそれぞれの数値データを抽出する請求項１に記載のランキング表示システム。
【請求項５】
前記計算部は、前記抽出部により抽出された使用主体ごとの数値データを、前記共通の単位の数値データとして、二酸化炭素排出量の数値データに換算する請求項４に記載のランキング表示システム。
【請求項６】
前記データベースには、前記複数の使用主体のそれぞれの属性を示す属性データが格納され、
前記特定部は、前記データベースに格納された属性データを参照し、前記複数の使用主体のうちいずれかの省エネルギー指標の順位として、属性別の順位を特定する請求項１から５のいずれか１項に記載のランキング表示システム。
【請求項７】
前記データベースに格納された属性データは、前記複数の使用主体のそれぞれの属性として、少なくとも前記複数の使用主体のそれぞれの世帯人数および住居の間取りを示すデータである請求項６に記載のランキング表示システム。
【請求項８】
前記抽出部は、使用主体ごとの数値データとして、時間帯別の数値データを抽出し、
前記計算部は、使用主体ごとの省エネルギー指標として、時間帯別の省エネルギー指標を求め、
前記特定部は、前記複数の使用主体のうちいずれかの省エネルギー指標の順位として、時間帯別の順位を特定する請求項１から７のいずれか１項に記載のランキング表示システム。
【請求項９】
前記計算部は、使用主体ごとの省エネルギー指標として、１つの期間における使用主体ごとの省エネルギー指標を、前記期間内の複数時点で求め、
前記特定部は、前記計算部により使用主体ごとの省エネルギー指標が求められる度に、前記複数の使用主体のうちいずれかの省エネルギー指標の順位を特定し直す請求項１から８のいずれか１項に記載のランキング表示システム。
【請求項１０】
前記計算部は、使用主体ごとの省エネルギー指標として、使用主体ごとのエネルギーの使用量の削減率を求める請求項１から９のいずれか１項に記載のランキング表示システム。
【請求項１１】
エネルギーを使用する複数の使用主体のそれぞれにおけるエネルギーの使用量をエネルギーの種類に応じて異なる単位の数値データとして格納するデータベースから、使用主体ごとの数値データを抽出する抽出部と、
前記抽出部により抽出された使用主体ごとの数値データを共通の単位の数値データに換算し、換算後の数値データを集計して使用主体ごとの省エネルギー指標を求める計算部と、
前記計算部により求められた使用主体ごとの省エネルギー指標から、前記複数の使用主体のうちいずれかの省エネルギー指標の順位を特定する特定部と、
前記特定部により特定された順位を示す情報をディスプレイに表示する端末装置に、ネットワークを介して、当該情報を送信する通信部と
を備えるサーバ装置。
【請求項１２】
請求項１１に記載のサーバ装置から、ネットワークを介して、エネルギーを使用する複数の使用主体のうちいずれかの省エネルギー指標の順位を示す情報を受信する通信部と、
前記通信部により受信された情報をディスプレイに表示する表示部と
を備える端末装置。
【請求項１３】
抽出部が、エネルギーを使用する複数の使用主体のそれぞれにおけるエネルギーの使用量をエネルギーの種類に応じて異なる単位の数値データとして格納するデータベースから、使用主体ごとの数値データを抽出し、
計算部が、前記抽出部により抽出された使用主体ごとの数値データを共通の単位の数値データに換算し、換算後の数値データを集計して使用主体ごとの省エネルギー指標を求め、
特定部が、前記計算部により求められた使用主体ごとの省エネルギー指標から、前記複数の使用主体のうちいずれかの省エネルギー指標の順位を特定し、
表示部が、前記特定部により特定された順位を示す情報をディスプレイに表示するランキング表示方法。
【発明の詳細な説明】
【技術分野】
【０００１】
本発明は、ランキング表示システム、サーバ装置、端末装置およびランキング表示方法に関するものである。
【背景技術】
【０００２】
特許文献１には、各住戸の電気使用量の蓄積データに基づいて、世帯間で電気使用量または電気使用量の削減度合いの比較を行い、比較の結果を表示するエネルギーマネジメントシステムが記載されている。
【先行技術文献】
【特許文献】
【０００３】
【特許文献１】特開２００９−１３０９８６号公報
【発明の概要】
【発明が解決しようとする課題】
【０００４】
特許文献１に記載されているエネルギーマネジメントシステムでは、世帯ごとに、住戸選択ボタンにより比較対象を設定することによって、略同条件の世帯間で電気使用量または電気使用量の削減度合いの比較を行うようになっている。そのため、電化住宅の世帯では、ガス併用住宅の世帯と比べてどれくらい省エネルギーを実践できているのか把握することができない。同様に、ガス併用住宅の世帯では、電化住宅の世帯と比べてどれくらい省エネルギーを実践できているのか把握することができない。
【０００５】
電気使用量は、ガス使用量で代替可能である。よって、仮に、特許文献１に記載されているエネルギーマネジメントシステムを、電化住宅およびガス併用住宅のすべての住戸を比較対象として比較を行うように構成したとしても、各世帯で、他の世帯と比べてどれくらい省エネルギーを実践できているのか把握することができるようにはならない。
【０００６】
本発明は、エネルギーを使用する使用主体において、エネルギーの種類を１つに限定せずに、他の使用主体と比べてどれくらい省エネルギーを実践できているのか把握できるようにすることを目的とする。
【課題を解決するための手段】
【０００７】
本発明の一態様に係るランキング表示システムは、
エネルギーを使用する複数の使用主体のそれぞれにおけるエネルギーの使用量をエネルギーの種類に応じて異なる単位の数値データとして格納するデータベースから、使用主体ごとの数値データを抽出する抽出部と、
前記抽出部により抽出された使用主体ごとの数値データを共通の単位の数値データに換算し、換算後の数値データを集計して使用主体ごとの省エネルギー指標を求める計算部と、
前記計算部により求められた使用主体ごとの省エネルギー指標から、前記複数の使用主体のうちいずれかの省エネルギー指標の順位を特定する特定部と、
前記特定部により特定された順位を示す情報をディスプレイに表示する表示部とを備える。
【発明の効果】
【０００８】
本発明では、エネルギーを使用する使用主体ごとに、エネルギーの種類に応じて異なる単位の数値データが共通の単位の数値データに換算され、換算後の数値データを集計して求められる使用主体ごとの省エネルギー指標から、いずれかの使用主体の省エネルギー指標の順位が特定される。このため、その使用主体において、エネルギーの種類を１つに限定せずに、他の使用主体と比べてどれくらい省エネルギーを実践できているのか把握できるようになる。
【図面の簡単な説明】
【０００９】
【図１】実施の形態１に係るランキング表示システムの構成を示すブロック図。
【図２】実施の形態１に係るサーバ装置の動作を示すフローチャート。
【図３】実施の形態１に係る端末装置の動作を示すフローチャート。
【発明を実施するための形態】
【００１０】
以下、本発明の実施の形態について、図を用いて説明する。なお、各図中、同一または相当する部分には、同一符号を付している。実施の形態の説明において、同一または相当する部分については、説明を適宜省略または簡略化する。
【００１１】
実施の形態１．
本実施の形態に係るシステムの構成、動作、本実施の形態の効果を順番に説明する。
【００１２】
＊＊＊構成の説明＊＊＊
図１を参照して、本実施の形態に係るランキング表示システム１００の構成を説明する。
【００１３】
ランキング表示システム１００は、少なくとも１台のサーバ装置２００と、複数台の端末装置３００とを備える。
【００１４】
サーバ装置２００は、任意の場所に設置されてよいが、本実施の形態では、データセンタに設置されている。
【００１５】
端末装置３００は、任意の場所に設置されてよいが、本実施の形態では、住宅に設置されている。
【００１６】
サーバ装置２００と端末装置３００は、インターネット等のネットワーク４００を介して互いに接続される。
【００１７】
まず、サーバ装置２００の詳細な構成を説明する。
【００１８】
サーバ装置２００は、コンピュータである。サーバ装置２００は、具体的には、クラウドサーバである。サーバ装置２００は、プロセッサ２０１を備えるとともに、メモリ２０２、通信装置２０３といった他のハードウェアを備える。プロセッサ２０１は、信号線を介して他のハードウェアと接続され、これら他のハードウェアを制御する。
【００１９】
サーバ装置２００は、機能要素として、抽出部２１０と、計算部２２０と、特定部２３０と、通信部２４０とを備える。抽出部２１０、計算部２２０、特定部２３０、通信部２４０といった「部」の機能は、ソフトウェアにより実現される。
【００２０】
プロセッサ２０１は、プロセッシングを行うＩＣ（Ｉｎｔｅｇｒａｔｅｄ  Ｃｉｒｃｕｉｔ）である。プロセッサ２０１は、具体的には、ＣＰＵ（Ｃｅｎｔｒａｌ  Ｐｒｏｃｅｓｓｉｎｇ  Ｕｎｉｔ）である。
【００２１】
メモリ２０２には、後述するデータベース２５０を構成するファイル群が記憶されている。メモリ２０２は、具体的には、フラッシュメモリ、または、ＲＡＭ（Ｒａｎｄｏｍ  Ａｃｃｅｓｓ  Ｍｅｍｏｒｙ）である。
【００２２】
通信装置２０３は、データを受信するレシーバおよびデータを送信するトランスミッタを含む。通信装置２０３は、通信部２４０による情報の送受信のために用いられる。通信装置２０３は、具体的には、通信チップまたはＮＩＣ（Ｎｅｔｗｏｒｋ  Ｉｎｔｅｒｆａｃｅ  Ｃａｒｄ）である。
【００２３】
メモリ２０２には、サーバ装置２００の「部」の機能を実現するプログラムが記憶されている。このプログラムは、プロセッサ２０１に読み込まれ、プロセッサ２０１によって実行される。メモリ２０２には、ＯＳ（Ｏｐｅｒａｔｉｎｇ  Ｓｙｓｔｅｍ）も記憶されている。プロセッサ２０１は、ＯＳを実行しながら、サーバ装置２００の「部」の機能を実現するプログラムを実行する。なお、サーバ装置２００の「部」の機能を実現するプログラムの一部または全部がＯＳに組み込まれていてもよい。
【００２４】
サーバ装置２００の「部」の機能を実現するプログラムおよびＯＳは、補助記憶装置に記憶されていてもよい。補助記憶装置は、具体的には、フラッシュメモリ、または、ＨＤＤ（Ｈａｒｄ  Ｄｉｓｋ  Ｄｒｉｖｅ）である。補助記憶装置に記憶されているプログラムおよびＯＳは、メモリ２０２にロードされ、プロセッサ２０１によって実行される。
【００２５】
サーバ装置２００は、プロセッサ２０１を代替する複数のプロセッサを備えていてもよい。これら複数のプロセッサは、サーバ装置２００の「部」の機能を実現するプログラムの実行を分担する。それぞれのプロセッサは、プロセッサ２０１と同じように、プロセッシングを行うＩＣである。
【００２６】
サーバ装置２００の「部」の処理の結果を示す情報、データ、信号値、および、変数値は、メモリ２０２、補助記憶装置、または、プロセッサ２０１内のレジスタまたはキャッシュメモリに記憶される。
【００２７】
サーバ装置２００の「部」の機能を実現するプログラムは、磁気ディスク、光ディスクといった可搬記録媒体に記憶されてもよい。
【００２８】
次に、端末装置３００の詳細な構成を説明する。
【００２９】
端末装置３００は、コンピュータである。端末装置３００は、具体的には、セットトップボックス、スマートフォン、タブレット、または、パーソナルコンピュータである。端末装置３００は、プロセッサ３０１を備えるとともに、メモリ３０２、通信装置３０３、ディスプレイ３０４といった他のハードウェアを備える。プロセッサ３０１は、信号線を介して他のハードウェアと接続され、これら他のハードウェアを制御する。
【００３０】
端末装置３００は、機能要素として、通信部３１０と、表示部３２０とを備える。通信部３１０、表示部３２０といった「部」の機能は、ソフトウェアにより実現される。
【００３１】
プロセッサ３０１は、プロセッシングを行うＩＣである。プロセッサ３０１は、具体的には、ＣＰＵである。
【００３２】
メモリ３０２は、具体的には、フラッシュメモリ、または、ＲＡＭである。
【００３３】
通信装置３０３は、データを受信するレシーバおよびデータを送信するトランスミッタを含む。通信装置３０３は、通信部３１０による情報の送受信のために用いられる。通信装置３０３は、具体的には、通信チップまたはＮＩＣである。
【００３４】
ディスプレイ３０４は、表示部３２０による情報の表示のために用いられる。ディスプレイ３０４は、具体的には、ＬＣＤ（Ｌｉｑｕｉｄ  Ｃｒｙｓｔａｌ  Ｄｉｓｐｌａｙ）である。端末装置３００が住宅に設置されたセットトップボックスである場合は、ディスプレイ３０４として、その住宅に設置されたテレビが利用されてもよい。
【００３５】
端末装置３００は、さらに、タッチパネル、マウス、キーボードといった入力装置を備えていてもよい。
【００３６】
メモリ３０２には、端末装置３００の「部」の機能を実現するプログラムが記憶されている。このプログラムは、プロセッサ３０１に読み込まれ、プロセッサ３０１によって実行される。メモリ３０２には、ＯＳも記憶されている。プロセッサ３０１は、ＯＳを実行しながら、端末装置３００の「部」の機能を実現するプログラムを実行する。なお、端末装置３００の「部」の機能を実現するプログラムの一部または全部がＯＳに組み込まれていてもよい。
【００３７】
端末装置３００の「部」の機能を実現するプログラムおよびＯＳは、補助記憶装置に記憶されていてもよい。補助記憶装置は、具体的には、フラッシュメモリ、または、ＨＤＤである。補助記憶装置に記憶されているプログラムおよびＯＳは、メモリ３０２にロードされ、プロセッサ３０１によって実行される。
【００３８】
端末装置３００は、プロセッサ３０１を代替する複数のプロセッサを備えていてもよい。これら複数のプロセッサは、端末装置３００の「部」の機能を実現するプログラムの実行を分担する。それぞれのプロセッサは、プロセッサ３０１と同じように、プロセッシングを行うＩＣである。
【００３９】
端末装置３００の「部」の処理の結果を示す情報、データ、信号値、および、変数値は、メモリ３０２、補助記憶装置、または、プロセッサ３０１内のレジスタまたはキャッシュメモリに記憶される。
【００４０】
端末装置３００の「部」の機能を実現するプログラムは、磁気ディスク、光ディスクといった可搬記録媒体に記憶されてもよい。
【００４１】
サーバ装置２００のデータベース２５０には、エネルギーを使用する複数の使用主体のそれぞれにおけるエネルギーの使用量が、エネルギーの種類に応じて異なる単位の数値データ２５１として格納されている。この数値データ２５１は、後述するように、共通の単位の数値データ２５３に換算され、換算後の数値データ２５３から省エネルギー指標２５４が求められる。換算後の数値データ２５３、および、省エネルギー指標２５４も、データベース２５０に格納される。
【００４２】
本実施の形態において、データベース２５０には、さらに、複数の使用主体のそれぞれの属性を示す属性データ２５２が格納されている。
【００４３】
「使用主体」は、本実施の形態では、端末装置３００が設置された住宅に住んでいる世帯であるが、１つの集合住宅に住んでいる住人の集合であってもよいし、１つの街区または市区町村に住んでいる住民の集合であってもよいし、会社またはその他の団体であってもよい。すなわち、本実施の形態では、個々の世帯が１つの「使用主体」に相当するが、個々の集合住宅、街区または市区町村が１つの「使用主体」に相当してもよいし、個々の会社またはその他の団体が１つの「使用主体」に相当してもよい。
【００４４】
「エネルギー」には、本実施の形態では、少なくとも電力およびガスが含まれる。「エネルギーの種類に応じて異なる単位」は、電力の場合はｋＷｈ（キロワット時）であり、ガスの場合はｍ３（立方メートル）である。すなわち、データベース２５０には、各世帯における電力の使用量が、ｋＷｈ単位の数値データ２５１として格納され、電力およびガスを併用する世帯におけるガスの使用量が、ｍ３単位の数値データ２５１として格納されている。なお、ここでは、すべての世帯が電力を使用し、一部の世帯のみがガスを電力と併用していることを前提としている。
【００４５】
「属性」には、本実施の形態では、少なくとも世帯人数および住居の間取りが含まれる。すなわち、データベース２５０には、少なくとも各世帯の世帯人数および住居の間取りを示す属性データ２５２が格納されている。なお、世帯人数は、「４人」といった人数そのものではなく、「３人から５人」といった範囲で示されることが望ましい。
【００４６】
＊＊＊動作の説明＊＊＊
図２および図３を参照して、本実施の形態に係るランキング表示システム１００の動作を説明する。ランキング表示システム１００の動作は、本実施の形態に係るランキング表示方法に相当する。
【００４７】
図２は、サーバ装置２００の動作を示している。
【００４８】
ステップＳ２１において、抽出部２１０は、データベース２５０から、世帯ごとの数値データ２５１を抽出する。具体的には、抽出部２１０は、データベース２５０から、各世帯における電力の使用量をｋＷｈ単位で示す数値データ２５１を抽出する。また、抽出部２１０は、データベース２５０から、電力およびガスを併用する世帯におけるガスの使用量をｍ３単位で示す数値データ２５１を抽出する。ここで抽出される数値データ２５１は、本実施の形態では、月別のデータであり、具体的には、前々月および前月のデータである。
【００４９】
ステップＳ２２において、計算部２２０は、抽出部２１０により抽出された世帯ごとの数値データ２５１を共通の単位の数値データ２５３に換算し、換算後の数値データ２５３をデータベース２５０に格納する。「共通の単位」は、本実施の形態では、熱量の単位であり、具体的には、ｃａｌ（カロリー）である。すなわち、本実施の形態において、計算部２２０は、ステップＳ２１で抽出された、電力の使用量をｋＷｈ単位で示す数値データ２５１を、熱量をｃａｌ単位で示す数値データ２５３に換算する。また、計算部２２０は、ステップＳ２１で抽出された、ガスの使用量をｍ３単位で示す数値データ２５１も、熱量をｃａｌ単位で示す数値データ２５３に換算する。ここで算出される数値データ２５３は、本実施の形態では、月別のデータであり、具体的には、前々月および前月のデータである。なお、電力の使用量から熱量への換算、および、ガスの使用量から熱量への換算の手法としては、既知の換算係数、換算式、換算表等による手法を用いることができる。熱量の単位としては、ｃａｌの代わりに、Ｊ（ジュール）を採用してもよい。
【００５０】
ステップＳ２３において、計算部２２０は、換算後の数値データ２５３を集計して世帯ごとの省エネルギー指標２５４を求め、データベース２５０に格納する。ここで求められる省エネルギー指標２５４は、本実施の形態では、エネルギーの使用量の削減率であり、具体的には、前月の使用量に対する前々月の使用量の比率である。ここで、ガスを使用しない世帯Ｘと、電力およびガスを併用する世帯Ｙとが比較対象に含まれていたとすると、本実施の形態において、計算部２２０は、次のように、世帯Ｘおよび世帯Ｙのそれぞれの省エネルギー指標２５４を求めることになる。すなわち、計算部２２０は、ステップＳ２２で世帯Ｘにおける前月の電力の使用量を示す数値データ２５１から算出した、熱量を示す数値データ２５３を、ステップＳ２２で世帯Ｘにおける前々月の電力の使用量を示す数値データ２５１から算出した、熱量を示す数値データ２５３で割る。これにより、計算部２２０は、世帯Ｘの省エネルギー指標２５４として、世帯Ｘにおけるエネルギーの使用量の削減率を求める。また、計算部２２０は、ステップＳ２２で世帯Ｙにおける前月の電力の使用量を示す数値データ２５１から算出した、熱量を示す数値データ２５３と、ステップＳ２２で世帯Ｙにおける前月のガスの使用量を示す数値データ２５１から算出した、熱量を示す数値データ２５３との合計を計算する。計算部２２０は、ステップＳ２２で世帯Ｙにおける前々月の電力の使用量を示す数値データ２５１から算出した、熱量を示す数値データ２５３と、ステップＳ２２で世帯Ｙにおける前々月のガスの使用量を示す数値データ２５１から算出した、熱量を示す数値データ２５３との合計を計算する。計算部２２０は、前者の合計を、後者の合計で割る。これにより、計算部２２０は、世帯Ｙの省エネルギー指標２５４として、世帯Ｙにおけるエネルギーの使用量の削減率を求める。
【００５１】
ステップＳ２４において、通信部２４０は、いずれかの端末装置３００から、ネットワーク４００を介して、その端末装置３００が設置された住宅に住んでいる世帯を識別する情報を受信する。
【００５２】
ステップＳ２５において、特定部２３０は、計算部２２０により求められた世帯ごとの省エネルギー指標２５４から、複数の世帯のうちいずれかの省エネルギー指標２５４の順位を特定する。具体的には、特定部２３０は、比較対象に含まれる複数の世帯のうちいずれかの省エネルギー指標２５４の順位として、全世帯中の順位を特定する。また、特定部２３０は、データベース２５０に格納された属性データ２５２を参照し、比較対象に含まれる複数の世帯のうちいずれかの省エネルギー指標２５４の順位として、属性別の順位も特定する。本実施の形態では、ステップＳ２４で受信した情報によって識別される世帯を世帯Ｚとして、特定部２３０は、世帯Ｚにおけるエネルギーの使用量の削減率が、全世帯中何位であるか、世帯人数が世帯Ｚと共通する世帯中何位であるか、住居の間取りが世帯Ｚと共通する世帯中何位であるか、および、世帯人数と住居の間取りとの両方が世帯Ｚと共通する世帯中何位であるかを特定する。
【００５３】
ステップＳ２６において、通信部２４０は、ステップＳ２４における情報の送信元の端末装置３００に、ネットワーク４００を介して、ステップＳ２５で特定部２３０により特定された順位を示す情報を送信する。
【００５４】
なお、ステップＳ２３で求められる省エネルギー指標２５４は、前年度の使用量に対する前々年度の使用量の比率であってもよい。その場合、ステップＳ２１で抽出される数値データ２５１、および、ステップＳ２２で算出される数値データ２５３は、いずれも前々年度および前年度のデータとなる。このように、数値データ２５１、換算後の数値データ２５３、および、省エネルギー指標２５４は、月単位の数値に限らず、日単位、週単位、年単位といった任意の単位の数値であってよい。
【００５５】
また、ステップＳ２３で求められる省エネルギー指標２５４は、当月の使用量に対する前月の使用量の比率であってもよい。その場合、ステップＳ２１で抽出される数値データ２５１、および、ステップＳ２２で算出される数値データ２５３は、いずれも前月および当月のデータとなる。また、その場合、計算部２２０は、世帯ごとの省エネルギー指標２５４として、当月における世帯ごとの省エネルギー指標２５４を、当月内の複数時点で求めてもよい。そして、特定部２３０は、計算部２２０により世帯ごとの省エネルギー指標２５４が求められる度に、比較対象に含まれる複数の世帯のうちいずれかの省エネルギー指標２５４の順位を特定し直してもよい。具体例として、「複数時点」を、ステップＳ２４において、通信部２４０が、いずれかの端末装置３００から情報を受信した時点とし、ステップＳ２１からステップＳ２３の処理がステップＳ２４の処理の後に実行されるようにしてもよい。また、計算部２２０は、当月に限らず、任意の１つの期間における世帯ごとの省エネルギー指標２５４を、その期間内の複数時点で求めてもよい。
【００５６】
また、ステップＳ２３で求められる省エネルギー指標２５４は、時間帯別の指標であってもよい。その場合、特定部２３０は、比較対象に含まれる複数の世帯のうちいずれかの省エネルギー指標２５４の順位として、時間帯別の順位を特定する。
【００５７】
また、ステップＳ２３で求められる省エネルギー指標２５４は、エネルギーの使用量そのものであってもよい。
【００５８】
図３は、端末装置３００の動作を示している。
【００５９】
ステップＳ３１において、通信部３１０は、サーバ装置２００に、ネットワーク４００を介して、その通信部３１０を備える端末装置３００が設置された住宅に住んでいる世帯を識別する情報を送信する。
【００６０】
ステップＳ３２において、通信部３１０は、サーバ装置２００から、ネットワーク４００を介して、ステップＳ２５で特定部２３０により特定された順位を示す情報を受信する。
【００６１】
ステップＳ３３において、表示部３２０は、ステップＳ３２で通信部３１０により受信された情報をディスプレイ３０４に表示する。
【００６２】
＊＊＊実施の形態の効果の説明＊＊＊
本実施の形態では、エネルギーを使用する使用主体ごとに、エネルギーの種類に応じて異なる単位の数値データが共通の単位の数値データに換算され、換算後の数値データを集計して求められる使用主体ごとの省エネルギー指標２５４から、いずれかの使用主体の省エネルギー指標２５４の順位が特定される。このため、その使用主体において、エネルギーの種類を電力に限定せずに、他の使用主体と比べてどれくらい省エネルギーを実践できているのか把握できるようになる。
【００６３】
＊＊＊他の構成＊＊＊
本実施の形態では、サーバ装置２００が特定部２３０を備えるが、変形例として、端末装置３００が特定部２３０を代替する特定部を備えてもよい。その場合、ステップＳ２３で求められた省エネルギー指標２５４を示す情報が、通信部２４０によりサーバ装置２００から端末装置３００に送信される。そして、端末装置３００の特定部によりステップＳ２５の処理と同等の処理が行われる。その際、端末装置３００の特定部は、必要に応じてサーバ装置２００のデータベース２５０にアクセスするか、データベース２５０に格納された必要なデータをサーバ装置２００から取得する。
【００６４】
また、本実施の形態では、サーバ装置２００の「部」の機能がソフトウェアにより実現されるが、変形例として、サーバ装置２００の「部」の機能がソフトウェアとハードウェアとの組み合わせにより実現されてもよい。すなわち、サーバ装置２００の「部」の機能の一部が専用の電子回路により実現され、残りがソフトウェアにより実現されてもよい。
【００６５】
また、本実施の形態では、端末装置３００の「部」の機能がソフトウェアにより実現されるが、変形例として、端末装置３００の「部」の機能がソフトウェアとハードウェアとの組み合わせにより実現されてもよい。すなわち、端末装置３００の「部」の機能の一部が専用の電子回路により実現され、残りがソフトウェアにより実現されてもよい。
【００６６】
専用の電子回路は、具体的には、単一回路、複合回路、プログラム化したプロセッサ、並列プログラム化したプロセッサ、ロジックＩＣ、ＧＡ（Ｇａｔｅ  Ａｒｒａｙ）、または、ＦＰＧＡ（Ｆｉｅｌｄ−Ｐｒｏｇｒａｍｍａｂｌｅ  Ｇａｔｅ  Ａｒｒａｙ）である。あるいは、専用の電子回路は、具体的には、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）である。
【００６７】
プロセッサ２０１，３０１、メモリ２０２，３０２、および、専用の電子回路を、総称して「プロセッシングサーキットリ」という。つまり、サーバ装置２００の構成がどのような構成であっても、サーバ装置２００の「部」の機能は、プロセッシングサーキットリにより実現される。また、端末装置３００の構成がどのような構成であっても、端末装置３００の「部」の機能は、プロセッシングサーキットリにより実現される。
【００６８】
「部」を「工程」、「手順」または「処理」に読み替えてもよい。
【００６９】
実施の形態２．
本実施の形態に係るシステムの構成、動作、本実施の形態の効果を順番に説明する。
【００７０】
＊＊＊構成の説明＊＊＊
本実施の形態に係るランキング表示システム１００の構成については、図１に示した実施の形態１のものと同じであるため、説明を省略する。
【００７１】
「エネルギー」には、少なくとも電力および水道が含まれ、本実施の形態では、ガスも含まれる。「エネルギーの種類に応じて異なる単位」は、電力の場合はｋＷｈであり、水道およびガスの場合はｍ３である。すなわち、データベース２５０には、各世帯における電力の使用量が、ｋＷｈ単位の数値データ２５１として格納され、各世帯における水道の使用量が、ｍ３単位の数値データ２５１として格納され、電力およびガスを併用する世帯におけるガスの使用量が、ｍ３単位の数値データ２５１として格納されている。なお、ここでは、すべての世帯が電力および水道を使用し、一部の世帯のみがガスを電力と併用していることを前提としている。
【００７２】
＊＊＊動作の説明＊＊＊
本実施の形態に係るランキング表示システム１００の動作について、図２および図３に示した実施の形態１のものとの違いを説明する。
【００７３】
ステップＳ２１において、抽出部２１０は、データベース２５０から、各世帯における電力の使用量をｋＷｈ単位で示す数値データ２５１を抽出する。また、抽出部２１０は、データベース２５０から、各世帯における水道の使用量をｍ３単位で示す数値データ２５１を抽出する。また、抽出部２１０は、データベース２５０から、電力およびガスを併用する世帯におけるガスの使用量をｍ３単位で示す数値データ２５１を抽出する。
【００７４】
ステップＳ２２において、計算部２２０は、抽出部２１０により抽出された世帯ごとの数値データ２５１を共通の単位の数値データ２５３に換算し、換算後の数値データ２５３をデータベース２５０に格納する。「共通の単位」は、本実施の形態では、二酸化炭素排出量の単位であり、具体的には、ｋｇ（キログラム）である。すなわち、本実施の形態において、計算部２２０は、ステップＳ２１で抽出された、電力の使用量をｋＷｈ単位で示す数値データ２５１を、二酸化炭素排出量をｋｇ単位で示す数値データ２５３に換算する。また、計算部２２０は、ステップＳ２１で抽出された、水道の使用量をｍ３単位で示す数値データ２５１も、二酸化炭素排出量をｋｇ単位で示す数値データ２５３に換算する。また、計算部２２０は、ステップＳ２１で抽出された、ガスの使用量をｍ３単位で示す数値データ２５１も、二酸化炭素排出量をｋｇ単位で示す数値データ２５３に換算する。なお、電力の使用量から二酸化炭素排出量への換算、水道の使用量から二酸化炭素排出量への換算、および、ガスの使用量から二酸化炭素排出量への換算の手法としては、既知の換算係数、換算式、換算表等による手法を用いることができる。
【００７５】
ステップＳ２３からステップＳ２６の処理については、実施の形態１のものと同じであるため、説明を省略する。
【００７６】
ステップＳ３１からステップＳ３３の処理についても、実施の形態１のものと同じであるため、説明を省略する。
【００７７】
＊＊＊実施の形態の効果の説明＊＊＊
本実施の形態によれば、ある使用主体において、エネルギーの種類を電力およびガスに限定せずに、他の使用主体と比べてどれくらい省エネルギーを実践できているのか把握できるようになる。
【００７８】
以上、本発明の実施の形態について説明したが、これらの実施の形態のうち、２つ以上の実施の形態を組み合わせて実施しても構わない。あるいは、これらの実施の形態のうち、１つの実施の形態または２つ以上の実施の形態の組み合わせを部分的に実施しても構わない。具体的には、これらの実施の形態に係るサーバ装置２００の機能要素のうち、一部の機能要素のみを採用してもよい。なお、本発明は、これらの実施の形態に限定されるものではなく、必要に応じて種々の変更が可能である。
【符号の説明】
【００７９】
１００  ランキング表示システム、２００  サーバ装置、２０１  プロセッサ、２０２  メモリ、２０３  通信装置、２１０  抽出部、２２０  計算部、２３０  特定部、２４０  通信部、２５０  データベース、２５１  数値データ、２５２  属性データ、２５３  数値データ、２５４  省エネルギー指標、３００  端末装置、３０１  プロセッサ、３０２  メモリ、３０３  通信装置、３０４  ディスプレイ、３１０  通信部、３２０  表示部、４００  ネットワーク。
【図１】
2017182553.tif 000003
【図２】
2017182553.tif 000004
【図３】
2017182553.tif 000005
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
一部が電力およびガスを併用するガス併用住宅の世帯であり、残りが電力およびガスのうち電力のみを使用する電化住宅の世帯である複数の世帯のそれぞれにおける電力の使用量を示す数値データと、前記ガス併用住宅の世帯におけるガスの使用量を電力の使用量とは異なる単位で示す数値データとを格納するデータベースから、世帯ごとの数値データを抽出する抽出部と、
前記抽出部により抽出された前記複数の世帯のそれぞれにおける電力の使用量を示す数値データと、前記抽出部により抽出された前記ガス併用住宅の世帯におけるガスの使用量を示す数値データとを熱量の数値データに換算し、換算後の数値データを集計して世帯ごとの省エネルギー指標を求める計算部と、
前記計算部により求められた世帯ごとの省エネルギー指標から、前記複数の世帯のうちいずれかの省エネルギー指標の順位を特定する特定部と、
前記特定部により特定された順位を示す情報をディスプレイに表示する表示部と
を備えるランキング表示システム。
【請求項２】
前記データベースには、前記複数の世帯のそれぞれの属性を示す属性データが格納され、
前記特定部は、前記データベースに格納された属性データを参照し、前記複数の世帯のうちいずれかの省エネルギー指標の順位として、属性別の順位を特定する請求項１に記載のランキング表示システム。
【請求項３】
前記データベースに格納された属性データは、前記複数の世帯のそれぞれの属性として、少なくとも前記複数の世帯のそれぞれの世帯人数および住居の間取りを示すデータである請求項２に記載のランキング表示システム。
【請求項４】
前記抽出部は、世帯ごとの数値データとして、時間帯別の数値データを抽出し、
前記計算部は、世帯ごとの省エネルギー指標として、時間帯別の省エネルギー指標を求め、
前記特定部は、前記複数の世帯のうちいずれかの省エネルギー指標の順位として、時間帯別の順位を特定する請求項１から３のいずれか１項に記載のランキング表示システム。
【請求項５】
前記計算部は、世帯ごとの省エネルギー指標として、１つの期間における世帯ごとの省エネルギー指標を、前記期間内の複数時点で求め、
前記特定部は、前記計算部により世帯ごとの省エネルギー指標が求められる度に、前記複数の世帯のうちいずれかの省エネルギー指標の順位を特定し直す請求項１から４のいずれか１項に記載のランキング表示システム。
【請求項６】
前記計算部は、世帯ごとの省エネルギー指標として、世帯ごとのエネルギーの使用量の削減率を求める請求項１から５のいずれか１項に記載のランキング表示システム。
【請求項７】
一部が電力およびガスを併用するガス併用住宅の世帯であり、残りが電力およびガスのうち電力のみを使用する電化住宅の世帯である複数の世帯のそれぞれにおける電力の使用量を示す数値データと、前記ガス併用住宅の世帯におけるガスの使用量を電力の使用量とは異なる単位で示す数値データとを格納するデータベースから、世帯ごとの数値データを抽出する抽出部と、
前記抽出部により抽出された前記複数の世帯のそれぞれにおける電力の使用量を示す数値データと、前記抽出部により抽出された前記ガス併用住宅の世帯におけるガスの使用量を示す数値データとを熱量の数値データに換算し、換算後の数値データを集計して世帯ごとの省エネルギー指標を求める計算部と、
前記計算部により求められた世帯ごとの省エネルギー指標から、前記複数の世帯のうちいずれかの省エネルギー指標の順位を特定する特定部と、
前記特定部により特定された順位を示す情報をディスプレイに表示する端末装置に、ネットワークを介して、当該情報を送信する通信部と
を備えるサーバ装置。
【請求項８】
前記特定部は、前記複数の世帯のうちいずれかの省エネルギー指標の順位として、前記端末装置が設置された住宅の世帯の省エネルギー指標の順位を特定する請求項７に記載のサーバ装置。
【請求項９】
請求項８に記載のサーバ装置から、ネットワークを介して、前記サーバ装置の特定部により特定された順位を示す情報を受信する通信部と、
前記通信部により受信された情報をディスプレイに表示する表示部と
を備える端末装置。
【請求項１０】
セットトップボックスであり、
前記表示部は、前記通信部により受信された情報をテレビに表示する請求項９に記載の端末装置。
【請求項１１】
抽出部が、一部が電力およびガスを併用するガス併用住宅の世帯であり、残りが電力およびガスのうち電力のみを使用する電化住宅の世帯である複数の世帯のそれぞれにおける電力の使用量を示す数値データと、前記ガス併用住宅の世帯におけるガスの使用量を電力の使用量とは異なる単位で示す数値データとを格納するデータベースから、世帯ごとの数値データを抽出し、
計算部が、前記抽出部により抽出された前記複数の世帯のそれぞれにおける電力の使用量を示す数値データと、前記抽出部により抽出された前記ガス併用住宅の世帯におけるガスの使用量を示す数値データとを熱量の数値データに換算し、換算後の数値データを集計して世帯ごとの省エネルギー指標を求め、
特定部が、前記計算部により求められた世帯ごとの省エネルギー指標から、前記複数の世帯のうちいずれかの省エネルギー指標の順位を特定し、
表示部が、前記特定部により特定された順位を示す情報をディスプレイに表示するランキング表示方法。